(57)【要約】  【課題】  記録プレートを正確にドラムに供給することができ、この記録プレートのドラムによる巻き込みを正確に行うことができる画像記録装置を提供する。  【解決手段】  隅空間部Ｋに記録プレート密着装置４４を配置し、この記録プレート密着装置４４は、搬送ローラ３５に平行する圧縮空気供給ヘッド４５に、多数本の噴射ノズル４６を、その噴射方向Ｐを搬送ローラ３５の軸線方向イに傾けると共に、搬送ローラ３５の記録プレート接触部Ｆに向けて、軸線方向イに所定の間隔をおいて配置して構成されていて、圧縮空気供給ヘッド４５に供給された圧縮空気が噴射ノズル４６から搬送ローラ３５の記録プレート接触部Ｆに向けて噴射されることで、圧縮空気の噴流の側方の隅空間部Ｋに負圧を発生させて、大気圧により記録プレートＡ（Ｃ）を搬送ローラ３５に押し付け密着させる。【選択図】  図１０
2005272082.tif 000002
【特許請求の範囲】
【請求項１】
記録プレートに画像を記録する記録部と、この記録部に前記記録プレートを供給する給版部とを備え、前記給版部から前記記録部に至る給版経路に、前記記録プレートの接触面に接触して前記記録プレートを前記記録部側に搬送する搬送ローラを配置した画像記録装置であって、
前記給版経路に、負圧により前記接触面を前記搬送ローラに密着させる記録プレート密着手段を設けたことを特徴とする画像記録装置。
【請求項２】
前記記録プレート密着手段は、前記記録プレートと前記搬送ローラとが区画する隅空間部内であって前記搬送ローラの記録プレート接触部に、圧縮空気を、前記搬送ローラの軸線方向に対して斜め方向から噴射することで、前記圧縮空気の噴流の側方の前記隅空間部に前記負圧を発生させて大気圧により前記記録プレートを前記搬送ローラに押し付け密着させるものであることを特徴とする請求項１に記載の画像記録装置。
【請求項３】
前記記録プレート密着手段は、前記隅空間部に前記搬送ローラに平行して配置された圧縮空気供給ヘッドを有しており、この圧縮空気供給ヘッドに、多数の噴射ノズルが、その噴射方向を前記搬送ローラの軸線方向に傾けると共に、前記記録プレート接触部に向けた状態で、前記軸線方向に所定の間隔をおいて配置された構成であることを特徴とする請求項２に記載の画像記録装置。
【発明の詳細な説明】
【技術分野】
【０００１】
本発明は、記録プレートに画像を記録する画像記録装置に関し、特に、記録プレートを積み重ねてできた堆積物から１枚ずつ取り上げた記録プレートを記録部に供給する給版経路の搬送ローラに記録プレートを密着させる画像記録装置に関するものである。
【背景技術】
【０００２】
平板印刷では、表面に感剤がコーティングされてレーザ光の照射による露光により所要の画像が記録される記録プレートが印刷版として用いられており、このような記録プレートは多数積み重ねた状態で画像記録装置に搬入され、レーザ光による記録処理を行うにあたっては、記録プレートの堆積物から1枚ずつ記録プレートを取り上げて記録部に供給され、記録部での記録処理が終了すると記録済みの記録プレートが記録部から取り出されて外部に排出される。
【０００３】
しかし、記録プレートを記録部に供給する給版工程では、記録部で高精度な記録が可能なように記録プレートの位置決め操作が必要であるが、記録すべき画像に応じて寸法の異なる複数種類の記録プレートの中から適切な種類の記録プレートを選択して記録部に搬送する構成を採用した場合、記録プレートの種類に関わらずに確実に記録プレートを位置決めすることが可能な構成が望まれる。
【０００４】
このような要請から給版ユニットには、吸着ユニットにより載置された記録プレートを、記録ユニットのドラム上のプレート取付領域に整合する位置に位置決めする位置決め手段として押えローラ及び基準ピンが設けてあり、押えローラは、ドラムへのプレート給送方向に対して直交する幅方向の両側部に配置してあって、記録プレートを内向きに押し込み、基準ピンは、幅方向の中心部に配置してあって、記録プレートの幅方向位置を規定するようにしてあるし、また、給版ユニットから記録部のドラムに至る給版経路に、記録プレートの接触面に接触して記録プレートを記録部側に搬送する搬送ローラを配置して、記録プレートの接触面に付着した異物を捕捉するようにしている（特許文献１参照）。
【特許文献１】特開２００３―２５２４４６０号公報
【発明の開示】
【発明が解決しようとする課題】
【０００５】
しかし、記録プレートを、記録ユニットのドラム上のプレート取付領域に整合する位置に位置決めする位置決め手段として押えローラ及び基準ピンに加えて搬送ローラの部分で記録プレートの密着性を高めて、この記録プレートを正確にドラムに供給して、記録プレートのドラムへの巻き込みを正確に行う構成が望まれる。
【０００６】
本発明は、このような発明者の知見に基づき案出されたものであり、その目的とするところは、記録プレートのドラムへの巻き込みを正確に行うと共に、記録プレートの接触面に付着した異物の捕捉も確実に行うことができる画像記録装置を提供することである。
【課題を解決するための手段】
【０００７】
上記の目的を達成するために、本発明に係る画像記録装置は、記録プレートに画像を記録する記録部と、この記録部に記録プレートを供給する給版部とを備え、給版部から記録部に至る給版経路に、記録プレートの接触面に接触して記録プレートを記録部側に搬送する搬送ローラを配置した画像記録装置であって、給版経路に、負圧により接触面を搬送ローラに密着させる記録プレート密着手段を設けたものである。
【０００８】
かかる構成により、記録プレート密着手段により記録プレートが搬送ローラに密着させられるために、この記録プレートを正確にドラムに供給することができて、記録プレートのドラムへの巻き込みを正確に行うことができるし、記録プレートの接触面に付着した異物の捕捉も確実に行うことができる。
【０００９】
また、本発明に係る画像記録装置は、上記した本発明に係る画像記録装置において、記録プレート密着手段は、記録プレートと搬送ローラとが区画する隅空間部内であって搬送ローラの記録プレート接触部に、圧縮空気を、搬送ローラの軸線方向に対して斜め方向から噴射することで、圧縮空気の噴流の側方の隅空間部に負圧を発生させて大気圧により記録プレートを搬送ローラに押し付け密着させるようにしたものである。
【００１０】
かかる構成により、大気圧により記録プレートが搬送ローラに押し付けられて密着するために、記録プレートを正確にドラムに供給することができて、記録プレートのドラムへの巻き込みを正確に行うことができるし、記録プレートの接触面に付着した異物の捕捉も確実に行うことができる。
【００１１】
また、本発明に係る画像記録装置は、上記した本発明に係る画像記録装置において、記録プレート密着手段は、隅空間部に搬送ローラに平行して配置された圧縮空気供給ヘッドを有しており、この圧縮空気供給ヘッドに、多数の噴射ノズルが、その噴射方向を搬送ローラの軸線方向に傾けると共に、記録プレート接触部に向けた状態で、軸線方向に所定の間隔をおいて配置された構成である。
【００１２】
かかる構成により、圧縮空気供給ヘッドに供給された圧縮空気が、多数本の噴射ノズルから搬送ローラの記録プレート接触部分に向けて噴射されることで、圧縮空気の噴流の側方の隅空間部に負圧を発生させて大気圧により記録プレートを搬送ローラに押し付け密着させることができる。
【００１３】
このために、記録プレートを正確にドラムに供給することができて、記録プレートのドラムへの巻き込みを正確に行うことができるし、記録プレートの接触面に付着した異物の捕捉も確実に行うことができる。
【発明の効果】
【００１４】
本発明に係る画像記録装置によれば、記録プレート密着手段により記録プレートが搬送ローラに押し付けられて密着するために、記録プレートを正確にドラムに供給することができて、記録プレートのドラムへの巻き込みを正確に行うことができるし、記録プレートの接触面に付着した異物の捕捉も確実に行うことができる。
【発明を実施するための最良の形態】
【００１５】
以下に、添付の図面を参照して本発明の実施の形態について詳細に説明する。
【００１６】
図１は本発明に係る画像記録装置の正面図、図２は同画像記録装置の側面図、図３は同画像記録装置の平面図である。
【００１７】
本発明に係る画像記録装置は、図１乃至図３に示すように、新聞紙面印刷での印刷版の製版に用いられるものであり、記録プレートに画像を記録する記録ユニット（記録部）１と、この記録ユニット１に記録プレートを供給する給版ユニット（給版部）２と、記録済みの記録プレートを記録ユニット１から取り込んで外部に送り出す排版ユニット（排版部）３と、記録プレート及び合い紙を交互に積み重ねてできた堆積物４、５が配置された第１、第２のプレート格納部６、７と、プレート格納部６、７から所要の記録プレートを１枚ずつ取り上げて給版ユニット２に移送する吸着ユニット（プレート移送手段）８と、プレート格納部６、７の堆積物４、５から分離除去された合い紙を回収する合い紙回収ユニット（合い紙回収部）９とを備えている。
【００１８】
新聞紙面印刷の印刷版には、所定幅の記録プレート（１Ｗ２Ｌサイズ、４００ｍｍ×１１００ｍｍ、以下１Ｗ版と呼称する）Ａと、その２倍幅の記録プレート（２Ｗ２Ｌサイズ、８００ｍｍ×１１００ｍｍ、以下２Ｗ版と呼称する）Ｃ（図８参照）との２種類の記録プレートが用いられており、第１のプレート格納部６では、１Ｗ版の記録プレートＡ及び合い紙（図示せず）の堆積物４が積載されたスキッド１１が床面上に横に並べて一対配置されている。また、第２のプレート格納部７では、２Ｗ版の記録プレートＣ及び合い紙（図示せず）の堆積物５が収容されたカセット１２が格納されている。
【００１９】
吸着ユニット８は、第１のプレート格納部６に横に並べて一対配置されたスキッド１１に対応して、その上方に横に並べて一対設けられており、スキッド１１の真上でガイドポスト１３に沿って上下に移動可能になっている。
【００２０】
吸着ユニット８は、サーボモータ１４でねじ軸（図示せず）を回転させることで昇降動作し、エンコーダ（図示せず）を介して検出されるパルス数の計数により吸着ユニット８の高さ位置を把握することができ、これにより所要の位置に吸着ユニット８を移動、停止させると共に、プレート格納部６（７）に格納された記録プレートＡ（Ｃ）の残量を検知することができる。一対のサーボモータ１４は、同期と非同期との切替が可能となっている。
【００２１】
図４は、図１に示した画像記録装置における記録プレートＡ（Ｃ）及び合い紙の搬送状態を模式的に示す斜視図である。ここでは、記録プレートＡ（Ｃ）を積み重ねてできた堆積物４（５）から最上の記録プレートＡ（Ｃ）を１枚ずつ取り上げて給版ユニット２に移送するピッキング工程と、給版ユニット２から記録プレートＡ（Ｃ）を記録ユニット１に供給する給版工程と、記録ユニット１で記録が行われた記録済みの記録プレートＡ（Ｃ）を排版ユニット３に取り込んで外方に排出する排版工程とを有しており、記録プレートＡ（Ｃ）が現像が必要なものであれば現像機に送られる。
【００２２】
記録プレートＡ（Ｃ）の堆積物４（５）から記録プレートＡ（Ｃ）を取り上げる際には、記録プレートＡ（Ｃ）と同時にその下側の合い紙を取り上げて、給版ユニット２への移送途中で合い紙を放棄し、この合い紙を合い紙回収ユニット（合い紙回収部）９に回収させるようにしており、給版ユニット２には記録プレートのみが移送される。なお、記録プレートＡ（Ｃ）のピッキングを行う際に、堆積物４（５）の最上面に合い紙がある場合には、記録プレートＡ（Ｃ）のピッキングを中止して最上の合い紙を取り上げて除去した上で記録プレートＡ（Ｃ）のピッキングをやり直す。
【００２３】
給版ユニット２は、図２に示したように吸着ユニット８の真下にせり出して吸着ユニット８が保持する記録プレートＡ（Ｃ）を搬送面上に載置可能なプレート受取位置と、吸着ユニット８の昇降を阻害しない待機位置との間で進退可能にフレーム１８を介してガイドレール１９に支持されている。
【００２４】
排版ユニット３も、記録を行わずに記録プレートＡ（Ｃ）を排出する場合に備えて、プレート受取位置と待機位置との間でガイドレール２０に沿って進退可能に設けてある。
【００２５】
給版ユニット２及び排版ユニット３は、待機位置で記録ユニット１に対向し、ここで記録ユニット１への記録プレートＡ（Ｃ）の供給並びに記録ユニット１からの記録プレートＡ（Ｃ）の取り込みが可能にしてある。
【００２６】
また、第２のプレート格納部７のカセット１２も、第１のプレート格納部６からの１Ｗ版の記録プレートＡの取り上げを阻害しない待機位置と、第１のプレート格納部６とその上方の吸着ユニット８との間に進入して吸着ユニット８による２Ｗ版の記録プレートＣの取り上げを可能にする作動位置との間で進退可能にしてある。
【００２７】
合い紙回収ユニット９は、プレート格納部６、７の上方に配置してあると共に、給版ユニット２並びに排版ユニット３の下方に配置してあり、吸着ユニット８の真下にせり出して吸着ユニット８から投棄された合い紙を収容可能な合い紙受取位置と待機位置との間で進退可能にしてある。
【００２８】
記録ユニット１では、図５に示すように、記録プレートＡをドラム（プレート保持体）２１に巻き付けて保持させ、このドラム２１をドラム回転モータ２２により回転させると共に、記録ヘッド２３をリニアモータでドラム２１の軸方向に走行させることにより記録プレートＡ（Ｃ）に画像を記録することができる。
【００２９】
ドラム２１には、その外周の取付面に記録プレートＡ（Ｃ）を密着固定するために、記録プレートＡ（Ｃ）の端部を挟み込むクランプ２４と、真空ポンプ（負圧発生源）２５により負圧に保持される負圧溝２６とが設けてある。
【００３０】
負圧溝２６は、図示するように１Ｗ版の記録プレートＡを幅方向（ドラム軸方向）に２枚並べて取り付けることができるように、１Ｗ版の記録プレートＡに対応する一対のプレート取付領域２７、２８が設けてある。プレート取付領域２７、２８では、負圧溝２６を独立して作動させることができ、プレート取付領域２７、２８のいずれか一方にのみ１Ｗ版の記録プレートＡを取り付けることも可能である。他方、２Ｗ版の記録プレートＣでは、一対のプレート取付領域２７、２８の双方を覆うように記録プレートＣが取り付けられる。
【００３１】
給版ユニット２は、図６に示すように、搬送装置３０を備えている。搬送装置３０は、図７に示すように、プレート給送方向ハに対して直交する向きに２枚並べて１Ｗ版の記録プレートＡが搬送できるように、二つの搬送部３１、３２を有している。
【００３２】
搬送部３１、３２は、それぞれに、駆動プーリ３３と、従動プーリ３４と、駆動プーリ３３と従動プーリ３４とに掛けられた給版ベルト３５と、駆動モータ３６とを有しており（図９参照）、搬送部３１、３２のそれぞれの駆動プーリ３３は互いに連結してある。また、駆動プーリ３３の回転軸にはプーリ３７が取付けてあり、駆動モータ３６の駆動軸にはプーリ３８が取付けてあって、プーリ３７とプーリ３８とにはタイミングベルト３９が掛けてある。そして、搬送部３１、３２は、図６において破線で表してあるように上下方向に傾動制御ができるようにしてある。
【００３３】
また、搬送部３１、３２には、吸着ユニット８により載置された記録プレートＡを、記録ユニット１のドラム２１上のプレート取付領域２７、２８に整合する位置に位置決めする位置決め手段として押えローラ（押え部材）４１及び基準ピン（基準部材）４２が設けてあり、押えローラ４１は、ドラム２１へのプレート給送方向ハに対して直交する幅方向の両側部に配置してあって、記録プレートＡを内向きに押し込み、基準ピン４２は、幅方向の中心部に配置してあって、記録プレートＡの幅方向位置を規定するようにしてある。
【００３４】
基準ピン４２は、図８に示すように、給版ベルト３５の搬送面３５Ａ上に突出する作動位置と、搬送面３５Ａ下に没入する待機位置との間で昇降可能に設けてある。２Ｗ版の記録プレートＣの場合には、基準ピン４２が待機位置となり、押えローラ４１が記録プレートＣの側線に当接して記録プレートＣを両側から挟み込むようにして位置決めを行う。１Ｗ版の記録プレートＡの場合には、基準ピン４２が搬送面３５Ａ上に突出する作動位置となり、押えローラ４１が記録プレートＡの外側の側線に当接して記録プレートＡを内向きに押し込むと共に、基準ピン４２が記録プレートＡの内側の側線に当接して位置決めを行う。
【００３５】
図６に示すように、給版ユニット２からドラム２１に至る給版経路には、記録プレートＡ（Ｃ）の接触面に接触して記録プレートＡ（Ｃ）を記録ユニット１側に搬送する搬送ローラ４３が配置してある。搬送ローラ４３は記録プレートン搬送に必要な摩擦係数を持ったゴムローラ等で構成されている。
【００３６】
なお、給版ユニット２は、記録プレートＡ（Ｃ）をドラム２１に給送する際に、ドラム２１側を下向きに傾斜させた状態になる。また、搬送ローラ４３は、給版ユニット２の給版ベルト３５で記録プレートＡ（Ｃ）を給送する際に図示しないモータで回転駆動されて記録プレートＡをドラム２１に案内し、記録プレートＡ（Ｃ）の先端部がクランプ２４でドラム２１に固定されると、ドラム２１による記録プレートＡ（Ｃ）の引き込み動作を阻害しないようにつれ回りで回転する。
【００３７】
搬送ローラ４３の記録プレート搬出側には、図１０に示すように、記録プレートＡ（Ｃ）と搬送ローラ４３とが区画する隅空間部Ｋが存在しており、この隅空間部Ｋに記録プレート密着手段である記録プレート密着装置４４が配置してある。
【００３８】
記録プレート密着装置４４は、図９乃至図１３に示すように、搬送ローラ４３の長さ寸法と略同じ長さのパイプ形状の圧縮空気供給ヘッド４５を有しており、この圧縮空気供給ヘッド４５には、図１０乃至図１２に示すように多数本の噴射ノズル４６が、その噴射方向Ｐを搬送ローラ３５の軸線方向イに傾けると共に、搬送ローラ３５の記録プレート接触部Ｆに向けて、軸線方向イに所定の間隔をおいて配置してある。
【００３９】
そして、圧縮空気供給ヘッド４５の供給口４５Ａには供給用チューブ４７が接続してあり、供給用チューブ４７は圧縮空気発生設備（図示せず）に接続してある。
【００４０】
次に、給版ユニット２の作動と記録プレート密着装置４４との作動を説明する。
【００４１】
給版ユニット２において、押えローラ４１及び基準ピン４２を用いて記録プレートＡ（Ｃ）の整列処理を行い、ついで給版ユニット２をドラム２１に対向する待機位置へ戻す。そして、記録プレートＡ（Ｃ）の両端部にドラム２１に巻き付け固定する際の位置決めのための孔（図示せず）を開設するパンチ処理を行い、給版ユニット２をプレート供給位置に傾動させる。
【００４２】
次に、駆動モータ３６の駆動により、プーリ３７、タイミングベルト３９及びプーリ３８を介して駆動プーリ３３を回転し、給版ベルト３５を回転走行させて記録プレートＡ（Ｃ）をドラム２１に給送する。このときに、搬送ローラ４３９により記録プレートＡ（Ｃ）におけるドラム２１に対する接触面の清掃を行う。
【００４３】
記録プレート密着装置４４においては、圧縮空気発生設備から供給用チューブ４７を介して圧縮空気供給ヘッド４５に圧縮空気が供給されていて、多数本の噴射ノズル４６から圧縮空気が搬送ローラ４３の記録プレート接触部Ｆに向けて噴射される。
【００４４】
一般に、エジェクタ方式の負圧発生器はコンバムの原理を利用しており、図１３に示すように、一次側流入部５０と、ノズル５１と、拡散室５２と、ディフューザ５３とを、この順序に連ね、拡散室５２に二次側流入部５４を開口させた構成であり、圧縮空気を一次側流入部５０に供給すると、この圧縮空気はノズル５１で絞られ拡散室５２に放出されるときに膨張し、高速でディフューザ５３に流入する。
【００４５】
この高速流により拡散室５２の圧力が低下して二次側流入部５４より大気が流れ込み、この流入した大気は高速で噴出する一次流体と混合してディフューザ５３を通って排気される。この原理により圧縮空気を連続して供給することで負圧発生状態を維持することができる。
【００４６】
記録プレート密着装置４４においては、上記した真空発生器における拡散室５２とディフューザ５３とに相当する部分が、図１２に示すように、隣り合う噴射ノズル４６間の隅空間部Ｋであり、これらの隅空間部Ｋは、噴射ノズル４６から圧縮空気が搬送ローラ３５の軸線方向イに対して斜め方向から搬送ローラ４３の記録プレート接触部Ｆに向けて噴射されることで負圧状態になる。このために、大気圧により記録プレートＡ（Ｃ）が搬送ローラ４３９に押し付けられて密着するようになる。
【００４７】
このように、大気圧により記録プレートＡ（Ｃ）が搬送ローラ３５に押し付けられて密着させられるために、記録プレートＡ（Ｃ）を正確にドラム２１に供給することができて、この記録プレートＡ（Ｃ）のドラム２１による巻き込みを正確に行うことができるし、記録プレートＡ（Ｃ）の接触面に付着した異物の捕捉も確実に行うことができる。
【００４８】
上記したように本発明の実施の形態によれば、隅空間部Ｋに記録プレート密着装置４４が配置してあり、この記録プレート密着装置４４は、搬送ローラ３５に平行する圧縮空気供給ヘッド４５に、多数本の噴射ノズル４６を、その噴射方向Ｐを搬送ローラ３５の軸線方向イに傾けると共に、搬送ローラ３５の記録プレート接触部Ｆに向けて、軸線方向イに所定の間隔をおいて配置して構成されていて、圧縮空気供給ヘッド４５に供給された圧縮空気が、多数本の噴射ノズル４６から搬送ローラ３５の記録プレート接触部Ｆに向けて噴射されることで、圧縮空気の噴流の側方の隅空間部Ｋに負圧を発生させて、大気圧により記録プレートＡ（Ｃ）を搬送ローラ３５に押し付けて密着させることができる。
【００４９】
このために、記録プレートＡ（Ｃ）を正確にドラム２１に供給することができて、この記録プレートＡ（Ｃ）のドラム２１による巻き込みを正確に行うことができるし、記録プレートＡ（Ｃ）の接触面に付着した異物の捕捉も確実に行うことができる。
【産業上の利用可能性】
【００５０】
本発明に係る画像記録装置は、記録プレート密着手段により記録プレートが搬送ローラに押し付け密着させられるために、記録プレートを正確にドラムに供給することができ、この記録プレートのドラムによる巻き込みを正確に行うことができるし、記録プレートの接触面に付着した異物の捕捉も確実に行うことができるという効果を有し、記録プレートに画像を記録する画像記録装置等に有用である。
【図面の簡単な説明】
【００５１】
【図１】本発明に係る画像記録装置の正面図
【図２】同画像記録装置の側面図
【図３】同画像記録装置の平面図
【図４】同画像記録装置における記録プレート及び合い紙の搬送状態を模式的に示す斜視図
【図５】同画像記録装置における記録部の斜視図
【図６】同画像記録装置における給版ユニットでの記録プレートを記録部に給版する状態の説明図
【図７】同画像記録装置における給版ユニットの平面図
【図８】同給版ユニットの側面図
【図９】記録プレート密着装置の配置説明図
【図１０】図９のＸ部の拡大図
【図１１】図１０のＹ方向からの矢視図
【図１２】図１１のＺ部の拡大図
【図１３】エジェクタ方式の負圧発生器の模式図
【符号の説明】
【００５２】
１      記録ユニット（記録部）
２      給版ユニット（給版部）
３      排版ユニット（排版部）
４      堆積物
５      堆積物
６      第１のプレート格納部
７      第２のプレート格納部
８      吸着ユニット（プレート移送手段）
９      合い紙回収ユニット（合い紙回収部）
２１    ドラム
４３    搬送ローラ
４４    記録プレート密着装置（記録プレート密着手段）
４５    圧縮空気供給ヘッド
４６    噴射ノズル
４７    供給用チューブ
Ａ      記録プレート
Ｃ      記録プレート
Ｆ      プレート接触部
Ｋ      隅空間部
【図１】
2005272082.tif 000003
【図２】
2005272082.tif 000004
【図３】
2005272082.tif 000005
【図４】
2005272082.tif 000006
【図５】
2005272082.tif 000007
【図６】
2005272082.tif 000008
【図７】
2005272082.tif 000009
【図８】
2005272082.tif 000010
【図９】
2005272082.tif 000011
【図１０】
2005272082.tif 000012
【図１１】
2005272082.tif 000013
【図１２】
2005272082.tif 000014
【図１３】
2005272082.tif 000015